(57)【要約】【課題】反射型偏光子を使用して１次光源からの出射光の利用効率を向上する構成において、表示画面の色味を向上する。【解決手段】液晶表示パネル３と、反射型偏光子１９と、透過光に１／４波長の位相差を付与する１／４波長板１８と、透過光の指向性を制御する光制御シート１４、１５、１６、１７と、導光板１２とを順次積層してなる液晶表示装置である。１／４波長板１８が、反射型偏光子１９の反射光に対して、透過光の波長が長くなるに従って透過光に与える位相差が増大する逆分散波長特性であり、光制御シート１４、１５、１６、１７が屈折率等方性材料からなる。【選択図】図１
2015230347.tif 000002
【特許請求の範囲】
【請求項１】
少なくとも液晶表示パネルと、反射型偏光子と、透過光に１／４波長の位相差を付与する１／４波長板と、透過光の指向性を制御する光制御シートと、導光板とを順次積層してなる液晶表示装置であって、
前記１／４波長板が、
前記反射型偏光子の反射光に対して、透過光の波長が長くなるに従って透過光に与える位相差が増大する逆分散波長特性であり、
前記光制御シートが屈折率等方性材料からなる
液晶表示装置。
【請求項２】
前記１／４波長板は
透明基材と、
前記透明基材の上に作製された配向膜と、
前記配向膜の配向規制力により配向した状態で硬化した、逆分散波長特性の液晶材料による位相差層とを備える
請求項１に記載の液晶表示装置。
【請求項３】
前記１／４波長板は
透過光に１／２波長の位相差を付与する１／２波長位相差層と、
透過光に１／４波長の位相差を付与する１／４波長位相差層との積層体である
請求項１に記載の液晶表示装置。
【請求項４】
前記光制御シートは、
入射面又は出射面に断面多角形形状による凸条が繰り返し作成されたプリズムシートである
請求項１、請求項２、請求項３の何れかに記載の液晶表示装置。
【発明の詳細な説明】
【技術分野】
【０００１】
本発明は、反射型偏光子を使用して１次光源からの出射光の利用効率を向上する液晶表示装置に関する。
【背景技術】
【０００２】
従来、液晶表示装置は、透明電極を作製してなるガラス板により液晶を挟持して液晶セルが構成され、この液晶セルの入射面及び出射面に直線偏光板をそれぞれ配置して液晶表示パネルが構成される。液晶表示装置は、この液晶表示パネルにバックライト装置から照明光を供給して所望の画像を表示する。液晶表示装置は、この液晶表示パネルの入射面に配置された直線偏光板による吸収により、バックライト装置から供給される照明光に大きな損失が発生する。
【０００３】
このため特許文献１には、液晶表示パネルの入射面に反射型偏光子を配置することにより、それまで直線偏光板で吸収されていた導光板の出射光成分を反射して導光板に再入射する構成が開示されている。この構成によれば、この再入射した照明光の偏光面が導光板側での繰り返しの反射等により反射型偏光子を透過する成分に変換されることにより、この再入射した照明光を再利用することができ、照明光の利用効率を向上することができる。
【０００４】
また特許文献２には、この反射型偏光子の導光板側に、１／４波長板を配置することにより、この１／４波長板により反射型偏光子からの反射光の偏光面を制御し、この反射光を反射型偏光子を透過可能に積極的に変換する構成が開示されている。この特許文献２に開示の構成によれば、反射型偏光子の反射光を反射型偏光子を透過可能に積極的に変換することができることにより、光の損失を格段的に低減して反射型偏光子で反射した照明光を液晶表示パネルで利用に供することができ、その結果、照明光の利用効率を一段と向上して表示画面の輝度を向上することができる。
【０００５】
しかしながらこの特許文献２に開示の構成による液晶表示装置では、表示画面が黄味を帯びて視認され、これにより表示画面の色味の点で実用上未だ不十分な問題があった。
【先行技術文献】
【特許文献】
【０００６】
【特許文献１】特開２０００−２２７５１８号公報
【特許文献２】特開２０１３−４７７９４号公報
【発明の概要】
【発明が解決しようとする課題】
【０００７】
本発明はこのような状況に鑑みてなされたものであり、反射型偏光子を使用して１次光源からの出射光の利用効率を向上する構成において、表示画面の色味を向上することを目的とする。
【課題を解決するための手段】
【０００８】
本発明者は、上記課題を解決するために鋭意研究を重ね、１／４波長板を逆分散の波長特性により機能するように構成すると共に、反射型偏光子から導光板側の各種光制御シート材に屈折率等方性材料を適用する、との着想に至り、本発明を完成するに至った。
【０００９】
具体的には、本発明では、以下のようなものを提供する。
【００１０】
（１）  少なくとも液晶表示パネルと、反射型偏光子と、透過光に１／４波長の位相差を付与する１／４波長板と、透過光の指向性を制御する光制御シートと、導光板とを順次積層してなる液晶表示装置であって、
前記１／４波長板が、
前記反射型偏光子の反射光に対して、透過光の波長が長くなるに従って透過光に与える位相差が増大する逆分散波長特性であり、
前記光制御シートが屈折率等方性材料からなる液晶表示装置。
【００１１】
（１）によれば、反射型偏光子により反射されて導光板に向かう反射光は、１／４波長板により円偏光に変換された後、導光板等における反射により円偏光の回転方向が反転し、液晶表示パネルに向けて１／４波長板を透過する際には、反射型偏光子を透過する向きの偏光面により出射される。その結果、反射型偏光子からの反射光を積極的に反射型偏光子を透過する成分に変換し、光の利用効率を向上して輝度を向上することができる。この構成において、１／４波長板が、反射型偏光子の反射光に対して逆分散波長特性であり、光制御シートが屈折率等方性材料からなることにより、反射型偏光子により反射されて反射型偏光子に再入射するまでの間、反射型偏光子の反射光は、カラーシフトすることなく、反射型偏光子に再入射して透過することになり、その結果、表示画面の色味を向上することができる。
【００１２】
（２）  （１）において、
前記１／４波長板は
透明基材と、
前記透明基材の上に作製された配向膜と、
前記配向膜の配向規制力により配向した状態で硬化した、逆分散波長特性の液晶材料による位相差層とを備える。
【００１３】
（２）によれば、逆分散波長特性の液晶材料を使用して１／４波長板を作製することができる。
【００１４】
（３）  （１）において、
前記１／４波長板は
透過光に１／２波長の位相差を付与する１／２波長位相差層と、
透過光に１／４波長の位相差を付与する１／４波長位相差層との積層体である。
【００１５】
（３）によれば、正の波長分散特性の液晶材料を使用して、反射型偏光子の反射光に対して逆分散波長特性により機能するように１／４波長板を作製することができる。
【００１６】
（４）  （１）、（２）、（３）の何れかにおいて、
前記光制御シートは、
入射面又は出射面に断面多角形形状による凸条が繰り返し作成されたプリズムシートである。
【００１７】
（４）によれば、光制御シートにより液晶表示パネルに向けた照明光の指向性を鋭いものとすることができ、正面輝度を向上することができる。
【発明の効果】
【００１８】
本発明によれば、反射型偏光子を使用して１次光源からの出射光の利用効率を向上する構成において、表示画面の色味を向上することができる。
【図面の簡単な説明】
【００１９】
【図１】本発明の第１実施形態に係る液晶表示装置を示す断面図である。
【図２】図１の液晶表示装置に係る１／４波長板を示す断面図である。
【図３】図１の液晶表示装置の輝度の説明に供する特性曲線図である。
【図４】１／４波長板を設けない場合の視野角特性を示す図である。
【図５】１／４波長板が正の波長分散特性である場合の視野角特性を示す図である。
【図６】図１の液晶表示装置の視野角特性を示す図である。
【図７】本発明の第２実施形態に係る液晶表示装置に適用される１／４波長板を示す断面図である。
【図８】図７の１／４波長板の説明に供する図である。
【発明を実施するための形態】
【００２０】
以下、図面を参照しながら本発明の実施形態を詳述する。
【００２１】
〔第１実施形態〕
図１は、本発明の第１実施形態に係る液晶表示装置の概略構成を示す断面図である。この液晶表示装置１は、バックライト装置２及び液晶表示パネル３を積層して構成される。ここで液晶表示パネル３は、透明電極を作製してなるガラス板４Ａ及び４Ｂにより液晶５を挟持して液晶セル６が構成され、この液晶セル６の入射面及び出射面に直線偏光板７Ａ及び７Ｂがそれぞれ配置される。これにより液晶表示パネル３は、バックライト装置２から供給される照明光を、透明電極の駆動に応じて光強度変調して射出し、所望の画像を表示する。なお液晶表示パネルは、ＴＮ（Ｔｗｉｓｔｅｄ  Ｎｅｍａｔｉｃ）方式、ＶＡ（Ｖｉｒｔｉｃａｌ  Ａｌｉｇｎｍｅｎｔ）方式、ＩＰＳ（Ｉｎ−Ｐｌａｃｅ−Ｓｗｉｔｃｈｉｎｇ）等、種々の構成を広く適用することができる。
【００２２】
バックライト装置２は、いわゆるエッジライト型のバックライト装置であり、１次光源（この実施形態では、冷陰極線管による棒状光源である）１１が、断面楔形形状による板状部材である導光板１２の端面（以下、入射面と呼ぶ）に沿って配置され、この入射面より１次光源１１の出射光を導光板１２に入射する。これによりバックライト装置２は、この１次光源１１の出射光を導光板１２で内部伝搬しながら、導光板１２の出射面より出射する。なお導光板１２にあっては、平板形状により作製するようにしてもよい。またエッジライト型のバックライト装置に代えて、直射型のバックライト装置を適用するようにしてもよい。
【００２３】
バックライト装置２は、導光板１２の裏面（液晶表示パネル３とは逆側面）に、反射シート１３が配置され、この反射シート１３により導光板１２の裏面より漏れ出す導光板１２の内部伝搬光を導光板１２に再入射し、光の利用効率を向上する。なお反射シートは、各種のフィルム材に銀等の高反射金属材料を蒸着したフィルム材、白色の樹脂材料によるシート材、正反射部材、乱反射部材等を広く適用することができるが、輝度及び指向性を高く維持するには高反射性、正反射部材が好適である。
【００２４】
またバックライト装置２は、導光板１２の出射面に、透過光の指向性を制御する光制御シート１４、１５、１６、１７が順次配置され、さらに１／４波長板１８、反射型偏光子１９が順次配置される。ここで光制御シートは、この液晶表示装置１に要求される視野角特性に応じて、種々の構成を適用することができるものの、この実施形態では、光拡散シート１４、上凸形状のプリズムシート１５、上凸形状のプリズムシート１６、光拡散シート１７が適用される。ここで光拡散シート１４、１７は、液晶表示パネル３に供給する照明光の指向性を緩和し、さらにはモアレ縞等の発生を防止する目的で使用され、各種微粒子を混入した透明フィルム材、表面を粗面化した透明フィルム材等、各種の構成を広く適用することができる。プリズムシート１５、１６は、入射面又は出射面に断面多角形形状による凸条が繰り返し作成された透明シート材であり、正面方向に向けた鋭い指向性により入射光の指向性を補正して出射する。この実施形態において、プリズムシート１５は、この断面多角形形状による凸条が頂角９０度による断面三角形形状の凸条により、液晶表示パネル３側面に、１次光源の延長方向に延長するように、この延長方向と直交する方向に繰り返し作成されて構成される。これにより液晶表示装置１は、導光板１２の出射面から内部伝搬方向に斜めに傾いた指向性により出射される照明光の指向性を、出射面の正面方向に補正する。プリズムシート１６は、同様の、断面三角形形状による凸条が、プリズムシート１５の凸条と直交する方向に繰り返し作成されて構成され、これによりこの繰り返し方向に係る指向性を鋭い指向性に補正して透過光を出射する。なおプリズムシート１５及び又は１６を、一次光源の延長方向に数度程度斜めに傾けて配置するようにし、これによりモアレ縞の発生を防止するようにしてもよい。
【００２５】
これら導光板１２と１／４波長板１８との間に配置される光制御シート１４、１５、１６、１７は、屈折率等方性材料により作製され、これにより反射型偏光子１９で反射して１／４波長板１８を透過した反射光については、また導光板１２から出射した１／４波長板１８への入射光については、１／４波長板１８の面内方向に極力位相差が発生しないようにされる。
【００２６】
ここで屈折率等方性材料は、光学異方性の小さな材料であり、環状オレフィン樹脂、アクリル樹脂、アセチルセルロース等の屈折率異方性の小さい樹脂材料を適用することができ、光制御シートに加工した際に、面内リタデーションＲｅ（５５０）が２０ｎｍ以下であることが好ましい。より好ましくはＲｅ（５５０）が１０ｎｍ以下であり、更に好ましくは５ｎｍ以下である。これによりこの実施形態では、反射型偏光子１９で反射して導光板１２に入射した後、導光板１２から出射して反射型偏光子１９に再入射する光について、後述する１／４波長板１８と共に、カラーシフトを防止して表示画面の色味を向上する。
【００２７】
反射型偏光子１９は、１／４波長板１８を透過して入射する光拡散シート１７からの出射光について、続く液晶表示パネル３の直線偏光板７Ａを透過する偏光成分を透過し、これと直交する直線偏光板７Ａで吸収される偏光成分を反射する。１／４波長板１８は、この反射型偏光子１９で反射した直線偏光による偏光成分に１／４波長分の位相差を付与することにより、この直線偏光を円偏光に変換して出射し、これにより光の利用効率を向上する。
【００２８】
ここで反射型偏光子１９は、複屈折性樹脂を積層した直線偏光子、コレステリック液晶とλ／４板を組み合わせた円偏光子、ワイヤーグリッド型偏光子等、種々の構成を適用することが利用できる。
【００２９】
この実施形態において、１／４波長板１８は、反射型偏光子１９の反射光に対して、透過光の波長が長くなるに従って透過光に与える位相差が増大する逆分散の波長特性により機能するように構成される。これによりこの実施形態では、上述した光制御シートの構成と共に、カラーシフトを充分に低減して表示画面の色味を向上する。
【００３０】
すなわち液晶表示装置１において、１／４波長板１８に入射する反射型偏光子１９の反射光は、１／４波長板１８で１／４波長の位相差が付与されることにより円偏光により１／４波長板１８から出射される。またこの１／４波長板１８の出射光は、反射シート１３等における反射により円偏光における偏光面の回転方向が逆転して１／４波長板１８に入射し、ここで反射型偏光子１９を透過する向きの偏光面による直線偏光に変換されて反射型偏光子１９に向けて出射されることになる。
【００３１】
ここで１／４波長板が、一般的な液晶材料による正の波長分散特性、平坦な波長分散特性による場合には、反射型偏光子１９から入射した１／４波長板１８の透過光は、波長によって楕円率が異なる円偏光により出射されることになる。また導光板１２から出射される円偏光による出射光においても、１／４波長板を透過する際に、波長により波長換算量の異なる位相差が付与されることになり、波長により、長軸方向が反射型偏光子１９を透過する偏光面の方向である、楕円率の異なる円偏光又は直線偏光により１／４波長から出射させることになる。これによりこのように反射型偏光子で反射した後、導光板を介して反射型偏光子に再入射する照明光は、カラーシフトすることになり、その結果、表示画面が黄色みを帯びて観察されることになる。
【００３２】
しかしながらこの実施形態のように、１／４波長板１８が逆分散波長特性により機能する場合、波長が種々に異なる場合でも、反射型偏光子１９で反射して入射した１／４波長板１８の透過光は、正の波長分散特性、平坦な波長分散特性による場合に比して、格段的に波長による変化が小さくなるように設定されて楕円率がほぼ値１の円偏光により出射されることになる。またこの円偏光による出射光が反射シート１３で反射して１／４波長板１８を透過する場合には、この場合も正の波長分散特性、平坦な波長分散特性による場合に比して、格段的に波長による変化が小さくなるように設定されて、１／４波長板１８から反射型偏光子１９に向けて出射されることになる。これにより波長が異なる場合でも、効率良く反射型偏光子１９の反射光を利用することができ、カラーシフトを低減して表示画面の色味を向上することができる。
【００３３】
しかしてこのように１／４波長板１８を逆分散波長特性により機能するようにしても、光制御シート１４〜１７を透過する際に、透過光に大きな位相差が付与されたのでは、反射型偏光子１９で反射した照明光のうち、反射型偏光子１９を透過する偏光面により反射型偏光子１９に入射する光量が低下することになる。またこの光制御シート１４〜１７を透過する際に付与される位相差によってもカラーシフトが増大することになる。これによりこの実施形態では、光制御シート１４〜１７を屈折率等方性材料により作製することによってもカラーシフトを低減し、表示画面の色味を向上する。
【００３４】
図２は、１／４波長板１８の構成を示す断面図である。１／４波長板１８は、光学異方性の小さな、例えばＴＡＣ（Triacetylcellulose）等による透明フィルムからなる基材１８Ａに配向膜１８Ｂが作製され、この配向膜１８Ｂの上に、透過光に１／４波長の位相差を付与する位相差層１８Ｃが作製される。ここで位相差層１８Ｃは、配向膜１８Ｂの配向規制力により配向した状態で硬化した逆分散波長特性の液晶材料により作製される。
【００３５】
より具体的に、この液晶材料は、例えば、特表２０１０−５２２８９２号公報、特開２００６−２４３４７０号公報、特開２００７−２４３４７０号公報、特開２００９−７５４９４号公報、特開２００９−６２５０８号公報、特開２００９−１７９５６３号公報、特開２００９−２４２７１７号公報、特開２００９−２４２７１８号公報、特許第４２２２３６０号公報、特許第４１８６９８１号公報、などに記載されている逆分散特性の液晶化合物を適用することができる。
【００３６】
因みに、１／４波長板１８に適用可能な液晶材料には、例えば下記の液晶化合物を適用することができる。
【００３７】
【化１】
2015230347.tif 000003
【００３８】
配向膜１８Ｂは、反射型偏光子１９の反射光の偏光面に対して斜め４５度の方向に位相差層１８Ｃの液晶材料を配向させるように作成される。配向膜１８Ｂは、光配向膜により作製してもよく、ラビング処理により作製してもよく、賦型処理による微細なライン状凹凸形状により作製してもよく、種々の構成を広く適用することができる。また光配向機能を有する光配向性液晶ポリマーにより光配向の手法を適用して位相差層１８Ｃを構成するようにして、配向膜１８Ｂを省略するようにしてもよい。
【００３９】
位相差層１８Ｃは、この種の光学フィルムに適用される、逆分散波長特性による液晶材料を広く適用することができる。
【００４０】
図３は、液晶表示装置１の輝度の説明に供する特性曲線図である。符号Ｌ１は、この実施形態による液晶表示装置１の計測結果であり、符号Ｌ２は、１／４波長板を設けない場合の計測結果であり、符号Ｌ３は、この実施形態の液晶表示装置１について、１／４波長板１８に代えて正の波長分散特性の１／４波長板を配置した場合の計測結果である。また横軸は正面方向からの傾き（極角）であり、縦軸は輝度である。この図３の計測結果によれば、１／４波長板の配置により正面方向を含む各方向で輝度が上昇し、これにより照明光の利用効率の向上を見て取ることができる。しかしながら１／４波長板の波長分散特性の相違による差異については、殆んど無いことが判った。なおこの計測は、１次光源１１の出射光量を一定の基準光量に設定した状態で、ＥＬＤＩＭ社製ＥＺｃｏｎｔｒａｓｔを使用して実行した。
【００４１】
図４から図７は、この図３について計測した３種類の構成について、見る方向による色味の計測結果を示す図である。この計測結果は、極角を６０度に保持し、方位角を順次段階的に変化させた場合の表示画面の色味の計測結果であり、計測結果による座標を計測順に線分により結んだものである。なおこの計測は、図３について上述したと同様にして実行した。また色座標は、ＣＩＥ表色系により計測した。
【００４２】
図４は、１／４波長板を設けない場合の計測結果であり、図５は、この実施形態の液晶表示装置１について、１／４波長板１８に代えて正の波長分散特性の１／４波長板を配置した場合の計測結果である。図６は、この実施形態の液晶表示装置の計測結果である。この図４から図６の計測結果によれば、正の波長分散特性の１／４波長板を設けることにより、何ら１／４波長板を設けない場合に比して、見る方向による色味の変化が激しくなるものの、逆分散波長特性による１／４波長板を設ける場合には、正の波長分散特性の１／４波長板を設ける場合に比して、さらには何ら１／４波長板を設けない場合に比して、見る方向による色味の変化を低減することができ、これにより色味に係る視野角特性を向上できることが判る。
【００４３】
これに対して正面方向について、色味を計測したところ、何ら１／４波長板を設けない場合、ｘ座標値及びｙ座標値が０．２９９、０．２７５であったものが、正の波長分散特性の１／４波長板を設けた場合には、ｘ座標値及びｙ座標値が０．３０２、０．２８２に変化し、これにより表示画面の色味が黄色みを帯びて視認されるに至った。これに対して逆分散波長特性による１／４波長板を設けた場合には、ｘ座標値及びｙ座標値が０．２９８、０．２７８であり、これにより何ら１／４波長板を設けない場合も色味に表示画面の色味を近づけることができ、表示画面の色味を向上できることが判った。
【００４４】
なおこれら図３〜図６の計測及び上述した正面方向の色味の計測において、正の波長分散特性の１／４波長板及び逆分散特性の１／４波長板は、図２の構成において、基材１８Ａに厚さ６０μｍのＴＡＣフィルムを適用して作製した。なおこの基材は、面内位相差Ｒｅ＝０．６ｎｍ、厚さ方向位相差Ｒｔｈ＝１．２ｎｍであった。また光制御シート１４〜１７についても、このＴＡＣフィルムを使用して作製した。
【００４５】
正の波長分散特性の１／４波長板は、一般的な液晶材料により位相差層１８Ｃを作製し、Ｒ４５０／Ｒ５５０＝１．０９、Ｒ６５０／Ｒ５５０＝０．９８であった。なおＲ４５０、Ｒ５５０、Ｒ６５０は、波長４５０ｎｍ、５５０ｎｍ、６５０ｎｍにおける面内リタデーション値Ｒｅである。また逆分散特性の１／４波長板は、上述の液晶材料を適用して作製し、Ｒ４５０／Ｒ５５０＝０．８３、Ｒ６５０／Ｒ５５０＝１．０６であった。
【００４６】
なお基材に面内位相差の大きな材料であるＰＥＴ（ポリエチレンテレフタレート）フィルム（厚み５０μｍ、Ｒｅ＝２２００ｎｍ、東洋紡  Ａ４３００）を使用して拡散シート１４，１６、プリズムシート１５、１６を作製した場合、１／４波長板を設けても輝度向上効果を得ることができず、これにより光制御シートを屈折率等方性材料により作製する効果を充分に確認することができた。
【００４７】
以上の構成によれば、１／４波長板を逆分散の波長特性により機能するように構成すると共に、反射型偏光子から導光板側の各種光制御シート材に屈折率等方性材料を適用することにより、反射型偏光子を使用して１次光源からの出射光の利用効率を向上する構成において、表示画面の色味を向上することができる。
【００４８】
また１／４波長板を逆分散波長特性の液晶材料により作製することにより、具体的構成により１／４波長板を逆分散の波長特性により機能するように構成することができる。
【００４９】
〔第２実施形態〕
図７は、本発明の第２実施形態の液晶表示装置に適用される１／４波長板の構成を示す断面図である。この実施形態の液晶表示装置１は、１／４波長板１８に代えてこの図７に示す１／４波長板２８が適用される点を除いて、第１実施形態の液晶表示装置１と同一に構成される。
【００５０】
ここで１／４波長板２８は、ＴＡＣフィルム等の光学異方性の小さな透明フィルム材による基材２８Ａの上に、透過光に１／４波長の位相差を付与する１／４波長位相差層２８Ｃ１と、透過光に１／２波長の位相差を付与する１／２波長位相差層２８Ｃ２を順次積層して構成される。
【００５１】
また図８に示すように、矢印により示す反射型偏光子１９による反射軸に対して、１／２波長位相差層２８Ｃ２及び１／４波長位相差層２８Ｃ１の遅相軸（それぞれ矢印により示す）が、それぞれ反時計回りに１５度、７５度の角度を成すように配置される。これにより１／４波長板２８は、１／２波長位相差層２８Ｃ２及び１／４波長位相差層２８Ｃ１の積層により反射型偏光子１９の反射光に対して逆分散波長特性により機能するように構成される。
【００５２】
なお１／２波長位相差層２８Ｃ２及び１／４波長位相差層２８Ｃ１、基材２８Ａの上に対応する配向膜と共に順次積層するようにして作成してもよく、さらには別体により作製した後、配向膜と一体に位相差を転写法により積層するようにしてもよく、又は位相差層のみ転写法により積層するようにしてもよい。また各位相差層の作成方法にあっては、正の波長分散特性を示す液晶材料を適用して、第１実施形態について上述した位相差層と同様にして作成することができる。
【００５３】
この実施形態によれば、１／２波長位相差層と、１／４波長位相差層との積層により１４波長板を構成しても第１実施形態と同様の効果を得ることができる。
【００５４】
〔他の実施形態〕
以上、本発明の実施に好適な具体的な構成を詳述したが、本発明は、本発明の趣旨を逸脱しない範囲で、上述の実施形態を種々に組み合わせ、さらには上述の実施形態の構成を種々に変更することができる。
【００５５】
すなわち上述の施形態では、液晶材料による位相差層により１／４波長板を構成する場合について述べたが、本発明はこれに限らず、逆分散波長特性によるフィルム材、平坦な波長分算特性によるフィルム材により位相差層を構成して１／４波長板を構成するようにしてもよい。なおこのようなフィルム材としては、例えば２軸方向、１軸方向に延伸したＣＯＰ（シクロオレフィンポリマー）フィルム等を適用することができる。
【００５６】
また上述の実施形態では、導光板の出射面に、光拡散シート１４、上凸形状のプリズムシート１５、上凸形状のプリズムシート１６、光拡散シート１７による４枚の光制御シートを配置する場合について述べたが、本発明はこれに限らず、例えば上凸形状のプリズムシート１５に代えて下凸形状のプリズムシートを配置する場合、光拡散シートを省略する場合等、種々の構成により光制御シートを配置する場合、種々の構成の光制御シートを配置する場合に広く適用することができる。
【符号の説明】
【００５７】
１  液晶表示装置
２  バックライト装置
３  液晶表示パネル
４Ａ、４Ｂ  ガラス板
５  液晶
６  液晶セル
７Ａ、７Ｂ  直線偏光板
１１  １次光源
１２  導光板
１３  反射シート
１４、１７  光拡散シート
１５、１６プリズムシート
１８、２８  １／４波長板
１８Ａ、２８Ａ  基材
１８Ｂ  配向膜
１８Ｃ  位相差層
１９  反射型偏光子
２８Ｃ１  １／４波長位相差層
２８Ｃ２  １／２波長位相差層
【図１】
2015230347.tif 000004
【図２】
2015230347.tif 000005
【図３】
2015230347.tif 000006
【図４】
2015230347.tif 000007
【図５】
2015230347.tif 000008
【図６】
2015230347.tif 000009
【図７】
2015230347.tif 000010
【図８】
2015230347.tif 000011